(57)【特許請求の範囲】
【請求項１】
自動改札機の本体の投入口に複数枚の乗車券類が積層して一括投入された乗車券類を分離部で１枚ずつに分離し、その分離された乗車券毎に読取処理，書込処理等の所定の処理を行う自動改札機において、
前記分離部の手前に所定時間の間乗車券類が検出され続けられた時に、該乗車券類を分離不能な乗車券類と判定する判定手段と、
前記判定手段が、乗車券類を前記分離不能な乗車券類と判定したとき、その乗車券類を前記投入口に逆搬送する搬送機構と、
前記判定手段が、乗車券類を前記分離不能な乗車券類と判定したときに、所定の返却条件が整ったことを条件に前記搬送機構を駆動させる搬送機構制御手段と、
を有することを特徴とする自動改札機。
【請求項２】
前記所定の返却条件は、分離不能の乗車券類を投入した利用者が前記自動改札機の本体の入口側に戻ったことが検出されたとき、その分離不能の乗車券類が検出されてから所定時間経過したとき、または、その分離不能の乗車券類と一緒に投入された乗車券類がその自動改札機の本体の取出口から抜取られたとき、であることを特徴とする請求項１に記載の自動改札機。
【発明の詳細な説明】
【０００１】
【発明の属する技術分野】
本発明は自動改札機に係り、特に、一人の利用者の入出場処理に複数枚の乗車券類を必要とするときの、その複数枚の乗車券類を投入口に一括投入して処理することのでいる一括投入型の自動改札機に関する。
【０００２】
【従来の技術】
従来、この種の一括投入型の自動改札機は、利用者（旅客）が複数枚の乗車券類（例えば特急券と乗車券、あるいは前途券と降車券等）を積層して自動改札機の本体（以下、「本体」という。）に設けられている投入口に一括投入すると、その投入された乗車券類は、投入口の入口に設けられている取込みローラにより本体内に取込まれるように構成されている。
【０００３】
取込みローラにより本体内に取込まれた乗車券類は、分離部で１枚ずつに分離されて整列搬送路に送られて搬送姿勢が整えられたのち、読取ヘッドで記録されているデータが読取られるように構成されている。
【０００４】
読取られたデータを基にした入出場（入場または出場を意味している。）の演算処理の結果、有効券と判定されると、その乗車券類は他の乗車券類の読取処理が終了するまでプール部で保持される。
【０００５】
投入された全ての乗車券類が有効券と判定されたときは、プール部に保持された乗車券類に新たなデータ、すなわち入出場データが書込まれるとともに、その書込まれたデータがチェックされたのち、取出口へ排出されて利用者に返却され、または集札箱に収集されるように構成されている。なお、上述の乗車券類の読取判定において、１枚でも有効期間経過等により無効券と判定されたとき、ドアが閉じられるとともに、投入された全ての乗車券類は、取出口に排出されて返却される。
【０００６】
投入口に投入された乗車券類の中には、折れ曲った乗車券類が存在したり、銀行カードのように厚手の異物投入されることがある。この場合は、分離部での１枚ずつの分離ができず、したがって、正常な入出場ができないのでドアが閉じられ、そして、投入された乗車券類は、投入口に逆搬送されて返却されるように構成されている。なお、分離部で分離不能な乗車券類（銀行カードのような異物も含む）が検出されるまでに読取終了してプール部に保持されている乗車券類は、取出口に排出されて返却されるように構成されている。
【０００７】
【発明が解決しようとする課題】
しかしながら、上記従来の一括投入型の自動改札機は、投入口に投入された乗車券類の中に、乗車券類が折れ曲っていて分離不能なものが含まれていたり、銀行カードのような分離不能な乗車券類が含まれているときは、即、その分離不能な乗車券類は、投入口に逆搬送されて返却されるので、その返却物が次客によって持ち去られるおそれがあった。
【０００８】
そこで、本発明は、上記欠点を解決するためになされたものであって、その目的は、分離不能な乗車券類を返却する場合、それを投入者に確実に返却できるようにした自動改札機を提供することにある。
【０００９】
【課題を解決するための手段】
本発明に係る自動改札機は、上記目的を達成するために、本体の投入口に複数枚の乗車券類が積層して一括投入された乗車券類を分離部で１枚ずつに分離し、その分離された乗車券毎に読取処理，書込処理等の所定の処理を行う自動改札機において、前記分離部の手前に所定時間の間乗車券類が検出され続けられた時に、該乗車券類を分離不能な乗車券類と判定する判定手段と、前記判定手段が、乗車券類を前記分離不能な乗車券類と判定したとき、その乗車券類を前記投入口に逆搬送する搬送機構と、前記判定手段が、乗車券類を前記分離不能な乗車券類と判定したときに、所定の返却条件が整ったことを条件に前記搬送機構を駆動させる搬送機構制御手段と、を有することを特徴としている。
また、前記所定の返却条件は、分離不能の乗車券類を投入した利用者が前記本体の入口側に戻ったことが検出されたとき、その分離不能の乗車券類が検出されてから所定時間経過したとき、または、その分離不能の乗車券類と一緒に投入された乗車券類がその本体の取出口から抜取られたとき、であることを特徴としている。
【００１０】
【発明の実施の形態】
以下、本発明の実施の形態を図面に基づいて説明する。図１は、一実施の形態に係る自動改札機の概略構成図であって、本体ａの長手方向の一端側には、乗車券類（図示せず）の投入口１が設けられているとともに、他端側には、乗車券類を利用者に返却する取出口２が設けられている。
【００１１】
本体ａ内には、投入口１から複数枚の乗車券類が積層して一括投入されたときに、その積層された乗車券類を本体ａ内に取込むモータＭにより駆動される一対のローラからなる取込ローラ１ａが設けられている。なお、この取込ローラ１ａが取込時と逆回転したときは、本体ａ内に投入された乗車券類を投入口１に返却する返却機構となる。
【００１２】
図１中、３は、取込ローラ１ａの内側に設けられた分離部である。この分離部３は、投入口１に積層して一括投入された乗車券類を１枚ずつに分離するもので、ここでは、上下一対のローラを乗車券類１枚分の厚さの間隙を保って配置し、下方のローラを送りローラに、上方のローラを戻しローラとしている。なお、分離部３としては、例えば、特願平１０−８５２０６号に示されるような、ブロックと逆転ローラとの間に１枚の乗車券類の厚さの間隔を設けたものなど、周知の分離部を採用することができる。いずれの形式の分離部であっても、乗車券類１枚分の厚さを越える投入物を通過させないように構成されている。
【００１３】
図１中、１ｂは、光電素子からなるセンサであって、取込ローラ１ａと分離部３との間に設けられている。このセンサ１ｂは、分離部３で分離されずに残っている乗車券類、すなわち分離不能乗車券類を検出することができるように構成されている。
【００１４】
搬送路４は、モータＭにより駆動されるベルトコンベアからなる周知の搬送路から構成されている。そして、この搬送路４は、整列搬送路４ａと主搬送路４ｂと排出搬送路４ｃとから構成されていて、このうち整列搬送路４ａは、分離部３で分離された乗車券類を整列する機能を有している。また、主搬送路４ｂと排出搬送路４ｃとの間には、本体ａ内に投入された乗車券類を取出口２へ返却することなく集札箱５へ回収するときに作動するウイングＷが設けられている。
【００１５】
主搬送路４ｂの搬送路中には、投入口１から取出口２に向かう搬送方向の上流側から順に、乗車券類に記録されている磁気データを読取るための読取ヘッドＨ1 と、複数（図示の例では３個）のストッパＳ1 〜Ｓ3 で形成される乗車券類を一時保持するプール部Ｐと、読取ヘッドＨ1 で読取ったデータをマイクロコンピュータを中心に構成された制御器Ｃで演算処理し、その演算結果を乗車券類に書込むための書込ヘッドＨ2 と、書込まれたデータが正しく記録されている否かをチェックするためベリファイヘッドＨ3 が設けられている。また、排出搬送路４ｃには、複数枚の乗車券類を一括して排出するためのストッパＳ4 からなるまとめ出し部が設けられている。
【００１６】
プール部ＰのストッパＳ1 〜Ｓ3 は、図示しないソレノイドで駆動されるとともに、主搬送路４ｂに直列に設けられていて、後述するＣＰＵの演算処理の結果、有効券と判定された乗車券類を１枚ずつ一時保留することができるように構成されている。また、まとめ出し部のストッパＳ4 も図示しないソレノイドで駆動され、乗車券類が取出口２に排出されて利用者に返却される場合、乗車券類が取出口２に全て排出されるまで一時保持し、乗車券類が全て排出されてきたときに、取出口２に積層して一括で排出できるように構成されている。
【００１７】
なお、図示しないが、主搬送路４ｂには、演算結果によりパンチングの必要な乗車券類にパンチ孔をあけるためのパンチングユニットと、演算結果により印字の必要な乗車券類に所定の内容を印字するためのサーマルヘッドからなる印字ユニットとを有している。また、本体ａの改札通路イ側には、図示しないがその改札通路Ｐ内の利用者の位置を検出するための人間検知器が設けられている。
【００１８】
図中９は、取出口２の近傍に設けられた表示部であり、図示しないスピーカとともに、利用者に対して所定の案内を行えるように構成されている。また、図中Ｄは、改札通路を開閉するドアである。
【００１９】
図２は、制御器Ｃの電気的構成を示すブロック図であって、中央処理部（ＣＰＵ）２０は、ＲＯＭ等の不揮発の記憶装置（図２ではＲＯＭ）２１に格納されているシステムプログラムとＲＡＭ２２に格納されているワーキングデータとを用いて入出場の演算処理を行なうように構成されている。そして、このＣＰＵ２０は、Ｉ／Ｏユニット２３を介して、各ヘッドＨ1 〜Ｈ3 と接続されたリードライト（Ｒ／Ｗ）ドライバ２４と、ウイングＷを駆動するウイングドライバ２５と、表示部９を制御する表示ドライバ２６と、各ストッパＳ1 〜Ｓ4 用のソレノイド（図示せず）を駆動するソレノイドドライバ２７と、ドアＤを駆動するドアドライバ２８、モータＭを駆動制御するモータドライバ２９と、センサ１ｂの信号を入力するためのセンサアンプ３０とが接続されている。なお、このＩ／Ｏユニット２３には、パンチングユニットあるいはサーマルヘッドなどの各種ドライバなどが接続されているが、ここでは省略されている。
【００２０】
次に、図３のフローチャートを用いて制御動作を説明する。今、利用者によって、投入口１に複数枚の乗車券類が積層して一括投入されたとする（ステップ１００肯定。以下、ステップを「Ｓ」とする。）。
【００２１】
投入口１に投入された乗車券類は、取込ローラ１ａによって分離部３に送られ、ここで１枚ずつに分離される。そして、この分離部３における乗車券類の分離状態は、センサ１ｂによって監視される。すなわち、分離部３の手前（センサ１ｂの設けられている位置）に所定時間、乗車券類が検出され続けられたとき（Ｓ１０２肯定）、制御器Ｃは、その乗車券類は、分離部３の分離間隙を通過することのできない分離不能の乗車券類と判定する。
【００２２】
分離不能の乗車券類の発生が検出されると、ドアＤが閉じられて利用者の通過が阻止されるとともに、モータＭの駆動は停止される（Ｓ１０４）。したがって、分離不能の乗車券類は、分離部３の手前に保持された状態となる。
【００２３】
分離部３の手前に保持されている乗車券類は、分離不能の乗車券類が検出されたのち、所定時間経過後に、例えば３秒後に、モータＭが逆回転して取込ローラ１ａが逆回転し、その保持されている乗車券類が投入口１に排出されて返却される（Ｓ１０６肯定、Ｓ１０８）。
【００２４】
なお、上述の取込ローラ１ａの逆回転は、一括投入した利用者が改札通路イの入口側（投入口１の設けられている側）に戻ってきたことが、図示しない人間検知器で検出されたときに行わせるようにしてもよい。
【００２５】
一括投入された乗車券類のうち、一部の乗車券類が既にプール部に保持されているときは、その乗車券類を取出口に排出させて利用者に返却しなければならないので、この場合は、取出口２に排出された乗車券類が利用者によって抜取られたのちに取込ローラ１ａの逆回転が開始される。
【００２６】
上述のように、分離部３で分離不能な乗車券類は、上述した所定の返却条件が成したのちに投入口１に返却されるので、その返却される乗車券類をその乗車券類を投入した利用者に確実に返却することができる。
【００２７】
【発明の効果】
本発明に係る自動改札機は、自動改札機の本体の投入口に複数枚、積層して一括投入された乗車券類を一枚ずつに分離する分離部の手前に所定時間の間乗車券類が検出され続けられた時に、判定手段によって、該乗車券類を分離不能な乗車券類と判定し、前記判定手段が乗車券類を前記分離不能な乗車券類と判定した時に、搬送機構によって、その乗車券類を前記投入口に逆搬送し、前記判定手段が乗車券類を前記分離不能な乗車券類と判定した時に、搬送機構制御手段によって、所定の返却条件が整ったことを条件に前記搬送機構を駆動させることができる。これにより、返却すべき乗車券類を投入した利用者に確実に返却することができる。
【００２８】
また、前記所定の返却条件は、分離不能の乗車券類を投入した利用者が本体の入口側に戻ったことが検出されたとき、その分離不能の乗車券類が検出されてから所定時間経過したとき、または、その分離不能の乗車券類と一緒に投入された乗車券類がその自動改札機の本体の取出口から抜取られたときとしたときは、投入口への返却タイミングを効果的に行うことができる。
【図面の簡単な説明】
【図１】本発明の一実施の形態に係る自動改札機の概略構成図である。
【図２】制御器の電気的構成を示すブロック図である。
【図３】制御動作を説明するためのフローチャートである。
【符号の説明】
ａ 自動改札機の本体（本体）
１ 投入口
１ａ 取込ローラ
１ｂ センサ
２ 取出口
３ 分離部
４ 搬送路
Ｈ1 読取ヘッド
Ｈ2 書込ヘッド
Ｈ3 ベリファイヘッド
Ｓ1 ，Ｓ2 ，Ｓ3 ，Ｓ4 ストッパ
Ｃ 制御器
【図１】
0004236772.tif 000002
【図２】
0004236772.tif 000003
【図３】
0004236772.tif 000004